【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  原稿から画像を読み取る画像読取手段と、前記画像読取手段によって原稿から読み取った画像情報を電話回線を介して送信するファクシミリ通信手段と、外部装置と接続する接続手段とを有する画像処理装置であって、
前記画像読取手段によって読み取った原稿に含まれる文字情報を認識する文字認識手段と、該文字認識手段により認識した原稿の所定領域に記載されている文字情報が電子メールアドレスを示す文字情報であると認識した場合、前記画像読取手段によって読み取った原稿の画像情報を当該電子メールアドレスに電子メール送信させるべく前記接続手段を介して外部装置に転送する制御を行い、当該文字情報が電子メールアドレスを示す文字情報でないと認識した場合、前記ファクシミリ通信手段により前記電話回線に接続し前記画像読取手段により読み取った原稿の画像情報を相手先に送信する制御を行う制御手段とを有することを特徴とする画像処理装置。
【請求項２】  原稿から画像を読み取る画像読取手段と、前記画像読取手段によって原稿から読み取った画像情報を電話回線を介して送信するファクシミリ通信手段とを有する画像処理装置であって、
前記画像読取手段によって読み取った原稿に含まれる文字情報を認識する文字認識手段と、該文字認識手段により認識した原稿の所定領域に記載されている文字情報を住所情報と認識した場合、前記ファクシミリ通信手段により前記電話回線に接続し前記画像読取手段により読み取った原稿の画像情報を前記住所情報に対応した電話番号の相手先に送信する制御を行う制御手段とを有することを特徴とする画像処理装置。
【請求項３】  さらに外部装置と接続する接続手段を有し、前記住所情報に対応した電話番号は、前記接続手段を介して接続された外部装置が前記住所情報に基づきデータベースから検索した該当住所情報に対応した電話番号であることを特徴とする請求項２記載の画像処理装置。
【請求項４】  原稿から画像を読み取る画像読取手段と、前記画像読取手段によって原稿から読み取った画像情報を電話回線を介して送信するファクシミリ通信手段とを有する画像処理装置であって、
前記画像読取手段によって読み取った原稿に含まれる文字情報を認識する文字認識手段と、該文字認識手段により認識した原稿の所定領域に記載されている文字情報がファクシミリ送信の相手先に関する文字情報であると認識した場合、前記ファクシミリ通信手段により前記電話回線に接続し前記画像読取手段により読み取った原稿の画像情報を前記文字認識手段で認識した相手先に送信する制御手段と、前記制御手段による送信を行う際、前記文字認識手段により認識した相手先に対応する電話番号を表示手段に表示し、この表示の後の操作者からの送信指示に基づき送信を開始するモードと、この送信指示なしに送信を開始するモードのいずれかを選択可能な選択手段とを有することを特徴とする画像処理装置。
【請求項５】  原稿から画像を読み取る画像読取手段と、前記画像読取手段によって原稿から読み取った画像情報を電話回線を介して送信するファクシミリ通信手段を有する画像処理装置と、該画像処理装置に接続される外部装置とを具備してなる通信システムであって、
前記画像処理装置は、前記画像読取手段によって読み取った原稿に含まれる文字情報を認識する文字認識手段と、該文字認識手段により認識した原稿の所定領域に記載されている文字情報が電子メールアドレスを示す文字情報であると認識した場合、前記画像読取手段によって読み取った原稿の画像情報を当該電子メールアドレスに電子メール送信させるべく前記接続手段を介して外部装置に転送する制御を行い、当該文字情報が電子メールアドレスを示す文字情報でないと認識した場合、前記ファクシミリ通信手段により前記電話回線に接続し前記画像読取手段により読み取った原稿の画像情報を相手先に送信する制御を行う制御手段とを有することを特徴とする通信システム。
【請求項６】  前記外部装置は電子メールソフトウエアを起動し、前記画像読取手段が読み取った原稿の画像情報を前記電子メールの添付ファイルとして前記電子メールアドレスに送信することを特徴とする請求項５記載の通信システム。
【請求項７】  原稿から画像を読み取る画像読取手段と、前記画像読取手段によって原稿から読み取った画像情報を電話回線を介して送信するファクシミリ通信手段とを有する画像処理装置を有する通信システムであって、
前記画像読取手段によって読み取った原稿に含まれる文字情報を認識する文字認識手段と、該文字認識手段により認識した原稿の所定領域に記載されている文字情報を住所情報と認識した場合、前記ファクシミリ通信手段により前記電話回線に接続し前記画像読取手段により読み取った原稿の画像情報を前記住所情報に対応した電話番号の相手先に送信する制御を行う制御手段とを有することを特徴とする通信システム。
【請求項８】  さらに、前記画像処理装置と接続された外部装置を有し、前記住所情報に対応した電話番号は、前記外部装置が前記住所情報に基づきデータベースから検索した該当住所に対応した電話番号であることを特徴とする請求項７記載の通信システム。
【請求項９】  原稿から画像を読み取る画像読取手段と、前記画像読取手段によって原稿から読み取った画像情報を電話回線を介して送信するファクシミリ通信手段と、外部装置と接続する接続手段とを有する画像処理装置に適用される通信制御方法であって、
前記画像読取手段によって読み取った原稿に含まれる文字情報を認識する文字認識工程と、該文字認識工程により認識した原稿の所定領域に記載されている文字情報が電子メールアドレスを示す文字情報であると認識した場合、前記画像読取手段によって読み取った原稿の画像情報を当該電子メールアドレスに電子メール送信させるべく前記接続手段を介して外部装置に転送する制御を行い、当該文字情報が電子メールアドレスを示す文字情報でないと認識した場合、前記ファクシミリ通信手段により前記電話回線に接続し前記画像読取手段により読み取った原稿の画像情報を相手先に送信する制御を行う制御工程とを有することを特徴とする通信制御方法。
【請求項１０】  原稿から画像を読み取る画像読取手段と、前記画像読取手段によって原稿から読み取った画像情報を電話回線を介して送信するファクシミリ通信手段とを有する画像処理装置に適用される通信制御方法であって、
前記画像読取手段によって読み取った原稿に含まれる文字情報を認識する文字認識工程と、該文字認識工程により認識した原稿の所定領域に記載されている文字情報を住所情報と認識した場合、前記ファクシミリ通信手段により前記電話回線に接続し前記画像読取手段により読み取った原稿の画像情報を前記住所情報に対応した電話番号の相手先に送信する制御を行う制御工程とを有することを特徴とする通信制御方法。
【請求項１１】  原稿から画像を読み取る画像読取手段と、前記画像読取手段によって原稿から読み取った画像情報を電話回線を介して送信するファクシミリ通信手段とを有する画像処理装置に適用される通信制御方法であって、
前記画像読取手段によって読み取った原稿に含まれる文字情報を認識する文字認識工程と、該文字認識工程により認識した原稿の所定領域に記載されている文字情報がファクシミリ送信の相手先に関する文字情報であると認識した場合、前記ファクシミリ通信手段により前記電話回線に接続し前記画像読取手段により読み取った原稿の画像情報を前記文字認識手段で認識した相手先に送信する制御工程と、前記制御工程による送信を行う際、前記文字認識工程により認識した相手先に対応する電話番号を表示手段に表示し、この表示の後の操作者からの送信指示に基づき送信を開始するモードと、この送信指示なしに送信を開始するモードのいずれかを選択可能な選択工程とを有することを特徴とする通信制御方法。
【請求項１２】  原稿から画像を読み取る画像読取手段と、前記画像読取手段によって原稿から読み取った画像情報を電話回線を介して送信するファクシミリ通信手段と、外部装置と接続する接続手段とを有する画像処理装置に適用される通信制御方法を実行するプログラムを記憶したコンピュータにより読み出し可能な記憶媒体であって、
前記通信制御方法は、前記画像読取手段によって読み取った原稿に含まれる文字情報を認識する文字認識ステップと、該文字認識ステップにより認識した原稿の所定領域に記載されている文字情報が電子メールアドレスを示す文字情報であると認識した場合、前記画像読取手段によって読み取った原稿の画像情報を当該電子メールアドレスに電子メール送信させるべく前記接続手段を介して外部装置に転送する制御を行い、当該文字情報が電子メールアドレスを示す文字情報でないと認識した場合、前記ファクシミリ通信手段により前記電話回線に接続し前記画像読取手段により読み取った原稿の画像情報を相手先に送信する制御を行う制御ステップとを有することを特徴とする記憶媒体。
【請求項１３】  原稿から画像を読み取る画像読取手段と、前記画像読取手段によって原稿から読み取った画像情報を電話回線を介して送信するファクシミリ通信手段とを有する画像処理装置に適用される通信制御方法を実行するプログラムを記憶したコンピュータにより読み出し可能な記憶媒体であって、
前記通信制御方法は、前記画像読取手段によって読み取った原稿に含まれる文字情報を認識する文字認識ステップと、該文字認識ステップにより認識した原稿の所定領域に記載されている文字情報を住所情報と認識した場合、前記ファクシミリ通信手段により前記電話回線に接続し前記画像読取手段により読み取った原稿の画像情報を前記住所情報に対応した電話番号の相手先に送信する制御を行う制御ステップとを有することを特徴とする記憶媒体。
【請求項１４】  原稿から画像を読み取る画像読取手段と、前記画像読取手段によって原稿から読み取った画像情報を電話回線を介して送信するファクシミリ通信手段とを有する画像処理装置に適用される通信制御方法を実行するプログラムを記憶したコンピュータにより読み出し可能な記憶媒体であって、
前記通信制御方法は、前記画像読取手段によって読み取った原稿に含まれる文字情報を認識する文字認識ステップと、該文字認識ステップにより認識した原稿の所定領域に記載されている文字情報がファクシミリ送信の相手先に関する文字情報であると認識した場合、前記ファクシミリ通信手段により前記電話回線に接続し前記画像読取手段により読み取った原稿の画像情報を前記文字認識手段で認識した相手先に送信する制御ステップと、前記制御ステップによる送信を行う際、前記文字認識ステップにより認識した相手先に対応する電話番号を表示手段に表示し、この表示の後の操作者からの送信指示に基づき送信を開始するモードと、この送信指示なしに送信を開始するモードのいずれかを選択可能な選択ステップとを有することを特徴とする記憶媒体。
【手続補正２】
【補正対象書類名】明細書
【補正対象項目名】０００６
【補正方法】変更
【補正の内容】
【０００６】
本発明は、上述した点に鑑みなされたものであり、原稿に電子メールアドレスを記載しておくことで、該当電子メールアドレスに読み取った画像を添付ファイルとして送信を行うことができる画像処理装置、通信システム、通信制御方法及び記憶媒体を提供することを第一の目的とする。
【手続補正３】
【補正対象書類名】明細書
【補正対象項目名】０００７
【補正方法】変更
【補正の内容】
【０００７】
また、本発明は、上述した点に鑑みなされたものであり、原稿に住所を記載しておくことで、該当住所に対応する宛先にＦＡＸ送信を行うことができる画像処理装置、通信システム、通信制御方法及び記憶媒体を提供することを第二の目的とする。
【手続補正４】
【補正対象書類名】明細書
【補正対象項目名】０００８
【補正方法】変更
【補正の内容】
【０００８】
また、本発明は、上述した点に鑑みなされたものであり、オペレータの選択により文字認識した結果を確認してから、あるいはこの確認を省略してＦＡＸ送信を行うことができる画像処理装置、通信システム、通信制御方法及び記憶媒体を提供することを第三の目的とする。
【手続補正５】
【補正対象書類名】明細書
【補正対象項目名】０００９
【補正方法】変更
【補正の内容】
【０００９】
【課題を解決するための手段】
上記目的を達成するため、本発明は、原稿から画像を読み取る画像読取手段と、前記画像読取手段によって原稿から読み取った画像情報を電話回線を介して送信するファクシミリ通信手段と、外部装置と接続する接続手段とを有する画像処理装置であって、前記画像読取手段によって読み取った原稿に含まれる文字情報を認識する文字認識手段と、該文字認識手段により認識した原稿の所定領域に記載されている文字情報が電子メールアドレスを示す文字情報であると認識した場合、前記画像読取手段によって読み取った原稿の画像情報を当該電子メールアドレスに電子メール送信させるべく前記接続手段を介して外部装置に転送する制御を行い、当該文字情報が電子メールアドレスを示す文字情報でないと認識した場合、前記ファクシミリ通信手段により前記電話回線に接続し前記画像読取手段により読み取った原稿の画像情報を相手先に送信する制御を行う制御手段とを有することを特徴とする。
【手続補正６】
【補正対象書類名】明細書
【補正対象項目名】００１０
【補正方法】変更
【補正の内容】
【００１０】
上記目的を達成するため、本発明は、原稿から画像を読み取る画像読取手段と、前記画像読取手段によって原稿から読み取った画像情報を電話回線を介して送信するファクシミリ通信手段とを有する画像処理装置であって、前記画像読取手段によって読み取った原稿に含まれる文字情報を認識する文字認識手段と、該文字認識手段により認識した原稿の所定領域に記載されている文字情報を住所情報と認識した場合、前記ファクシミリ通信手段により前記電話回線に接続し前記画像読取手段により読み取った原稿の画像情報を前記住所情報に対応した電話番号の相手先に送信する制御を行う制御手段とを有することを特徴とする。
【手続補正７】
【補正対象書類名】明細書
【補正対象項目名】００１１
【補正方法】変更
【補正の内容】
【００１１】
上記目的を達成するため、本発明は、原稿から画像を読み取る画像読取手段と、前記画像読取手段によって原稿から読み取った画像情報を電話回線を介して送信するファクシミリ通信手段とを有する画像処理装置であって、前記画像読取手段によって読み取った原稿に含まれる文字情報を認識する文字認識手段と、該文字認識手段により認識した原稿の所定領域に記載されている文字情報がファクシミリ送信の相手先に関する文字情報であると認識した場合、前記ファクシミリ通信手段により前記電話回線に接続し前記画像読取手段により読み取った原稿の画像情報を前記文字認識手段で認識した相手先に送信する制御手段と、前記制御手段による送信を行う際、前記文字認識手段により認識した相手先に対応する電話番号を表示手段に表示し、この表示の後の操作者からの送信指示に基づき送信を開始するモードと、この送信指示なしに送信を開始するモードのいずれかを選択可能な選択手段とを有することを特徴とする。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４７
【補正方法】変更
【補正の内容】
【００４７】
尚、本発明の特許請求の範囲と本発明の第１〜第６の実施の形態との対応関係は下記の通りである。制御手段は制御部５ａに対応し、画像読取手段はイメージスキャナ部５ｂに対応し、ファクシミリ通信手段はＦＡＸ制御部５ｄに対応し、表示手段、選択手段はパネル制御部５ｅに対応し、文字認識手段は文字認識手段５ｆに対応する。
【手続補正３８】
【補正対象書類名】明細書
【補正対象項目名】００９７
【補正方法】変更
【補正の内容】
【００９７】
【発明の効果】
以上説明したように、本発明によれば、オペレータが原稿の所定領域に電子メールアドレスを記載しておけば、外部装置に転送し、該当電子メールアドレスに読み取った画像情報を送信させることができるという効果を奏する。
【手続補正３９】
【補正対象書類名】明細書
【補正対象項目名】００９８
【補正方法】変更
【補正の内容】
【００９８】
また、本発明によれば、オペレータが原稿の所定領域に住所を記載しておけば、該当住所に対応する宛先に容易にＦＡＸ送信を行うことができるという効果を奏する。
【手続補正４０】
【補正対象書類名】明細書
【補正対象項目名】００９９
【補正方法】変更
【補正の内容】
【００９９】
また、本発明によれば、オペレータの選択により文字認識した結果を確認してから、あるいはこの確認を省略してＦＡＸ送信を行うことができ、使い勝手を向上させることができるという効果を奏する。
【手続補正４１】
【補正対象書類名】明細書
【補正対象項目名】０１００
【補正方法】削除
【補正の内容】